(57)【要約】      （修正有）【課題】飲食用容器に装着するにあたり、使い勝手が良く、かつ発光による電飾の演出に、バリエーションを備えることで、子供や若者等を主とする大勢の使用者の間で、幅広く楽しむことができる容器発光装飾具を提供する。【解決手段】飲食用コップ７０の底側外周部７１を保持する容器支持部２０に、発光体本体部１０を設けた容器電飾ホルダー１において、容器支持部２０は、上下方向ＶＴに対し、断面が上側から下側に窄むテーパをなす筒状で、透明な状態に形成された周壁部３０と、周壁部３０と接続する底部４０を有し、底部４０の上側には、収容部５０が透明な状態で突設され、発光体本体部１０は、収容部５０内に収容されている。発光体本体部１０では、ＬＥＤ１１は３つ具備しており、ＩＣチップは、スイッチ１３の操作により、ＬＥＤ１１に対し、複数種の点滅パターンに基づいた発光を、制御可能に構成されている。【選択図】図１
0003216988.tif 000002
【実用新案登録請求の範囲】
【請求項１】
電源と、ＬＥＤと、該ＬＥＤへの通電をオン／オフするスイッチと、該ＬＥＤの発光を制御する電気制御部とを有する発光体本体部を、飲食用容器の底側外周部を覆って保持する容器支持部に設けた容器発光装飾具において、
前記容器支持部は、当該容器支持部の上下方向に対し、断面が上側から下側にかけて窄むテーパをなす筒状で、透明な状態に形成された周壁部と、有底筒体として、前記周壁部と接続する底部を有し、
前記底部には、前記発光体本体部を内部空間に収容する収容部が、透明な状態で、前記上側に向けて突設され、前記飲食用容器の前記底側外周部を、前記周壁部上側の開口から挿入して前記周壁部の内面で保持して挿着された状態では、前記飲食用容器と前記収容部とが接触しないよう、前記周壁部のうち、前記底部から上端までの高さが、前記底部の径に対応した距離になっていること、
前記ＬＥＤは、１以上具備しており、
前記電気制御部は、前記スイッチを操作することにより、前記ＬＥＤに対し、単数種または複数種の点滅パターンに基づいた発光を、制御可能に構成されていること、
を特徴とする容器発光装飾具。
【請求項２】
請求項１に記載する容器発光装飾具において、
前記ＬＥＤは複数であり、
前記複数のＬＥＤは、前記容器支持部の軸心を中心に、放射状に散在して配置されていること、
を特徴とする容器発光装飾具。
【請求項３】
請求項１または請求項２に記載する容器発光装飾具において、
前記底部は、前記周壁部の下端面より底上げされた位置に設けられていること、
を特徴とする容器発光装飾具。
【考案の詳細な説明】
【技術分野】
【０００１】
この考案は、例えば、ジュースやビール等の飲み物や、かき氷やスナック菓子等の食べ物を入れる飲食用容器として、主にテイクアウト向けに使用される透明の樹脂製コップや、ペットボトル等の容器底部に装着され、発光による装飾を容器側に施す容器発光装飾具に関する。
【背景技術】
【０００２】
祭りやコンサート会場、娯楽施設等、多くの人が集う場所では、ジュースやビール等の飲み物を口にしながら行動している来場者が、日常的に頻繁に見られる。近年、このような出先の場で飲む飲み物の中でも、特に電飾等を施したテイクアウト向けの容器に入った飲み物に、子供や若者等の間で非常に人気があり、子供等は、飲み物を飲みながら、その電飾等による演出を楽しんでいる。その電飾の一例は、特許文献１，２に開示されている。
【０００３】
特許文献１は、コップの底部に発光器を取付けた発光器付コップである。発光器は、略円筒状に形成された保持部材の内周にレンズを嵌め込み、電球とマイクロスイッチと電池等を備えた発光器本体部を、レンズの下側に設け、レンズを挟む上側の保持部材内に、コップの底部を置いて底部外周を覆う態様で構成されている。特許文献１では、マイクロスイッチがＯＮ状態になると、電球から放たれる光が、レンズを通じてコップ内に拡散され、カラー電球やカラーレンズの使用により、拡散される光の色を、カラー電球やカラーレンズの色に反映できるとされている。
【０００４】
特許文献２は、ペットボトルの底部中央に形成されている陥没部内の空間を利用して装着されるペットボトル発光体である。ペットボトル発光体は、円形状の取付板中央に設けた凹陥状ケース内に、ＬＥＤとスイッチと基板等を有した発光ユニットを取付けた状態で、ペットボトルの陥没部内の空間に収容され、取付板に塗布した粘着剤により、ペットボトルの底部外縁に固定して使用される。特許文献２では、飲み物の有無に拘わらず、美麗な光輝色の発現により、イルミネーション効果が、遺憾なく発揮できるとされている。
【先行技術文献】
【特許文献】
【０００５】
【特許文献１】実公昭６２−３１０２６号公報
【特許文献２】実用新案登録第３１１８０９７号公報
【考案の概要】
【考案が解決しようとする課題】
【０００６】
しかしながら、特許文献１では、発光器本体部は、電球の点灯を単調にオン／オフするだけで、電球の光を調光できないばかりか、コップ側に拡散される光の色が、電球やレンズの色に対応した色に限られてしまう。そのため、スマートフォン、タブレット端末等の携帯端末の使用が普段の生活で日常化し、高度なＩＣ技術が身近な存在になっている昨今では、特許文献１は、もはや陳腐化した技術と受け止められかねず、前述した出先の場では、子供や若者は、特許文献１の電飾による演出に満足できず、楽しむことができない虞がある。
【０００７】
また、特許文献２のペットボトル発光体は、発光ユニットを有しているため、ＬＥＤにより、美麗な光輝色を発現することはでき、子供や若者は、ＬＥＤのイルミネーション効果による演出を楽しむことはできるが、都度、既存のペットボトルの底部に、粘着剤で固定して使用しなければならず、手間がかかり面倒である。また、飲み物を飲み終えた後、中身が空になった先のペットボトルから、特許文献２のペットボトル発光体を取り外し、次のペットボトルの底部に取付けたい場合には、ペットボトル発光体が先のペットボトルから剥離し難い。しかも、剥離後に、このペットボトル発光体を次のペットボトルに固定しようとしても、粘着剤の接着効果が失われ、ペットボトル発光体を次のペットボトルに使用することができない虞がある。
【０００８】
本考案は、上記問題点を解決するためになされたものであり、飲食用容器に装着するにあたり、使い勝手が良く、かつ発光による電飾の演出に、バリエーションを備えることで、子供や若者等を主とする大勢の使用者の間で、幅広く楽しむことができる容器発光装飾具を提供することを目的とする。
【課題を解決するための手段】
【０００９】
上記課題を解決するためになされた本考案の一態様である容器発光装飾具は、電源と、ＬＥＤと、該ＬＥＤへの通電をオン／オフするスイッチと、該ＬＥＤの発光を制御する電気制御部とを有する発光体本体部を、飲食用容器の底側外周部を覆って保持する容器支持部に設けた容器発光装飾具において、前記容器支持部は、当該容器支持部の上下方向に対し、断面が上側から下側にかけて窄むテーパをなす筒状で、透明な状態に形成された周壁部と、有底筒体として、前記周壁部と接続する底部を有し、前記底部には、前記発光体本体部を内部空間に収容する収容部が、透明な状態で、前記上側に向けて突設され、前記飲食用容器の前記底側外周部を、前記周壁部上側の開口から挿入して前記周壁部の内面で保持して挿着された状態では、前記飲食用容器と前記収容部とが接触しないよう、前記周壁部のうち、前記底部から上端までの高さが、前記底部の径に対応した距離になっていること、前記ＬＥＤは、１以上具備しており、前記電気制御部は、前記スイッチを操作することにより、前記ＬＥＤに対し、単数種または複数種の点滅パターンに基づいた発光を、制御可能に構成されていること、を特徴とする。
【００１０】
この態様によれば、飲食用容器に挿着した本考案の容器発光装飾具により、ＬＥＤから発現する美麗な光輝色に基づいたイルミネーションをもたらすため、例えば、祭り、コンサート会場やイベント会場、娯楽施設等、多くの人が集う場所で、本考案の容器発光装飾具を取付けた飲食用容器に、ジュースやビール等の飲み物、あるいはかき氷やスナック菓子等の食べ物が入った発光装飾具付き飲食物を手にした人は、鑑賞に値する演出を楽しむことができる。すなわち、本考案の容器発光装飾具では、電気制御部による単数種、または複数種の点滅パターンの下で、ＬＥＤを発光させ、透明な収容部を介して、その発光色をそのまま、飲食用容器側に、幅広い配光範囲で拡散させている。そのため、飲み物や飲食用容器等に映る光の色調により、質感の高い演出と、表現豊かな演出を提供することが可能になり、このような演出は、特に、子供や若者等の間をはじめ、幅広い層の使用者の間で、付加価値が高いと認定され易くなり、使用者を和ませる効果を奏することができる。しかも、本考案の容器発光装飾具は、挿着しようとする飲食用容器に対し、簡単に着脱することができるため、複数種の飲食用容器を対象に自在に使い回すことができ、使用者の使い勝手は良い。
【００１１】
上記の態様においては、前記ＬＥＤは複数であり、前記複数のＬＥＤは、前記容器支持部の軸心を中心に、放射状に散在して配置されていること、が好ましい。
【００１２】
この態様によれば、複数の光源から放つ複数種の光が、異なる位置から拡散されて統合するため、ＬＥＤの発光により飲食用容器側に映し出されたイルミネーションに、一体感を生み出すことができる。
【００１３】
上記の態様においては、前記底部は、前記周壁部の下端面より底上げされた位置に設けられていること、が好ましい。
【００１４】
この態様によれば、前述の発光装飾具付き飲食物を台上に置くにあたり、発光装飾具付き飲食物は、周壁部に形成された環状の下端面で、バランスを保った状態で支持され易くなるため、発光装飾具付き飲食物の転倒を抑制することができる。
【考案の効果】
【００１５】
本考案に係る容器発光装飾具によれば、飲食用容器に装着するにあたり、使い勝手が良く、かつ発光による電飾の演出に、バリエーションを備えることで、子供や若者等を主とする大勢の使用者の間で、幅広く楽しむことができる。
【図面の簡単な説明】
【００１６】
【図１】実施形態に係る容器電飾ホルダーを飲食用コップに取付けた状態を示す説明図である。
【図２】実施形態に係る容器電飾ホルダーの飲食用コップへの取付け方法を示す説明図である。
【図３】実施形態に係る容器電飾ホルダーを飲料用ボトルに取付けた状態を示す説明図である。
【図４】実施形態に係る容器電飾ホルダーの要部を示す図であり、発光体本体部を側面視で、それ以外を断面視で示した説明図である。
【図５】図４に示す発光体本体部の平面図である。
【図６】発光体本体部に構成された３つのＬＥＤの配置形態を示す模式図である。
【図７】実施形態に係る容器電飾ホルダーで、ＬＥＤの点滅パターンを示すタイミングチャートである。
【図８】実施形態に係る容器電飾ホルダーの作用を説明する模式図である。
【図９】変形例に係る容器電飾ホルダーを示す説明図である。
【考案を実施するための形態】
【００１７】
（実施形態）
以下、本考案に係る容器発光装飾具について、実施形態を図面に基づいて詳細に説明する。本考案に係る容器発光装飾具（以下、「容器電飾ホルダー」と称す。）は、例えば、ジュースやビール等の飲み物、あるいはかき氷やスナック菓子等の食べ物を入れる飲食用容器として、主にテイクアウト向けに使用される透明の樹脂製コップや、ペットボトル等の容器底部に装着され、発光による装飾を容器側に施す発光装飾具である。
【００１８】
はじめに、飲食用容器について、簡単に説明する。図１は、実施形態に係る容器電飾ホルダーを飲食用コップに取付けた状態を示す説明図であり、容器電飾ホルダーの飲食用コップへの取付け方法を、図２に示す。図３は、実施形態に係る容器電飾ホルダーを飲料用ボトルに取付けた状態を示す説明図である。
【００１９】
飲食用容器は、ジュースやビール等の飲み物や、かき氷やスナック菓子等の食べ物を、主にテイクアウト向けに使用するプラスチックコップで、ＰＥＴ（polyethylene terephthalate）やポリ乳酸（PLA：polylactic acid）等、樹脂からなる無色透明の飲食用コップ７０である。この飲食用コップ７０は、図１及び図２に示すように、通常、前述した飲み物や食べ物の収容に使用される容量のコップであり、例えば、底側コップ外径Ｒがφ５０〜６５ｍｍのプラスチックコップ、容積が５オンス（約１５０ｍｌ）〜２０オンス（約６２０ｍｌ）等に挙げられるように、これらの大きさに概ね相当する容積を持つコップである。また、飲食用容器は、例えば、図３に示すように、ヤシの木型にデザインされた飲料用ボトル等、オリジナルの飲料用ボトルのほか、市販の飲み物に使用されているペットボトル等の飲料用ボトル１７０を対象としている。飲食用容器の形状は、その断面が円形、四隅が円弧状の略四角形等である。容器電飾ホルダー１は、このような飲食用コップ７０、または飲料用ボトル１７０（電飾容器付き飲食物１８０）等に装着され、飲食用コップ７０の底側外周部７１等を保持して取付けられる。
【００２０】
次に、容器電飾ホルダーについて、説明する。容器電飾ホルダー１は、大別して、発光体本体部１０と、容器支持部２０と、収容部５０とからなる。容器電飾ホルダー１は、発光体本体部１０以外、ポリプロピレン (PP：polypropylene)等、無色透明な樹脂からなり、射出成形法により、容器支持部２０と収容部５０との一体成形で構成されている。
【００２１】
図４は、容器電飾ホルダーの要部を示す図であり、発光体本体部を側面視で、それ以外を断面視で示した説明図である。図５は、図４に示す発光体本体部の平面図である。発光体本体部１０は、複数（本実施形態では、３つ）のＬＥＤ１１と、その電源であるボタン型の電池１２と、その電極１６と、ＬＥＤ１１への通電をオン／オフするスイッチ１３と、ＬＥＤ１１の発光を制御するＩＣチップ１４（電気制御部）を備え、これらのパーツが、基板１５上で、図示しない配線により電気的に接続されている。
【００２２】
図１及び図４に示すように、容器支持部２０は、その上下方向ＶＴに対し、断面積が上側から下側にかけて窄むテーパをなす筒状に形成された周壁部３０と、有底筒体として、下側で周壁部３０と接続する底部４０を有している。底部４０は、周壁部３０の下端面３２より底上げされた位置に配置されている。底部４０の中央には、収容部５０が、底部４０の上側に向け、透明な態様で突設され、収容部外壁５２により包囲されて当該底部４０から膨出した内部空間５１と、この内部空間５１を閉塞する着脱可能な蓋５３を有している。蓋５３には、環状の包囲壁５４が形成され、蓋５３は、包囲壁５４の係留片５５を収容部外壁５２に係留することにより、底部４０に固定されている。発光体本体部１０は、包囲壁５４に保持された状態で、収容部５０に配設されている。
【００２３】
容器電飾ホルダー１では、図２に示すように、飲食用コップ７０の底側外周部７１が、周壁部３０上側の開口３３から挿入され、周壁部３０の内面で保持して挿着された状態では、飲食用コップ７０と収容部５０とが接触しないよう、周壁部３０は、底部４０の径ｒに対応した高さｈになっている。例えば、底側コップ外径Ｒがφ５０〜６５ｍｍのプラスチックコップの場合、高さｈは、一例として４０〜５０ｍｍの範囲内にあるのが好ましい。なお、底部４０の径ｒと周壁部３０の高さｈとの関係は、本実施形態に限定されるものではなく、挿着される飲食用コップ７０の底と容器電飾ホルダー１の収容部５０とが離間できていれば良い。周壁部３０の内面で保持できる範囲がより幅広くなり、製品毎に、挿着しようとする飲食用コップ７０の形状に多少の差異がある場合でも、一種の容器電飾ホルダー１で、複数種の飲食用コップ７０が挿着できるからである。
【００２４】
図６は、発光体本体部に構成された３つのＬＥＤの配置形態を示す模式図であり、これら３つのＬＥＤの点滅パターンを示すタイミングチャートの一例を、図７に示す。なお、図７では、横軸の時間ｔに対し、タイミングチャート図の煩雑化を防ぐため、ｔ３ａ等の周期とｔ３ｂ等の時間差の記載を省略している。図６に示すように、３つのＬＥＤ１１（第１のＬＥＤ１１Ａ、第２のＬＥＤ１１Ｂ、第３のＬＥＤ１１Ｃ）は、容器支持部２０の軸に沿う軸心ＡＸ（図４参照）を中心に、放射状に３等分のピッチで散在して配置されている。ＩＣチップ１４は、３つのＬＥＤ１１に対し、複数種（本実施形態では、３種）の点滅パターンに基づいた発光を、制御可能に構成されている。点滅パターンは、スイッチ１３の押圧操作により、切替えられ、所望の点滅パターンが選択できる。
【００２５】
ＬＥＤ１１の点滅パターンについて、簡単に説明する。ＬＥＤ１１の発光色は、本実施形態では、第１のＬＥＤ１１Ａが青色、第２のＬＥＤ１１Ｂが赤色、第３のＬＥＤ１１Ｃ緑色である。第１の点滅パターンでは、例えば、３つのＬＥＤ１１が、周期ｔ１で同時に点滅する。第２の点滅パターンは、第１の点滅パターンの周期ｔ１より短い周期ｔ２で、同時に点滅する。
【００２６】
第３の点滅パターンでは、第１のＬＥＤ１１Ａ、第２のＬＥＤ１１Ｂ、及び第３のＬＥＤ１１Ｃが各々、周期ｔ３ａで、時間差ｔ３ｂを挟んでこの順に点滅する。次いで、３つのＬＥＤ１１のうち、２つのＬＥＤ１１が、周期ｔ３ｃで同時に点滅した後、残りのＬＥＤ１１が、周期ｔ３ｃで、時間差ｔ３ｄを挟んで点滅する。次いで、第１のＬＥＤ１１Ａ、第２のＬＥＤ１１Ｂ、及び第３のＬＥＤ１１Ｃが各々、周期ｔ３ａより短い周期ｔ３ｅで、時間差ｔ３ｆを挟んでこの順に点滅する。次いで、第１のＬＥＤ１１Ａ、第２のＬＥＤ１１Ｂ、及び第３のＬＥＤ１１Ｃが各々、周期ｔ３ｅよりさらに短い周期ｔ３ｇで、時間差ｔ３ｈを挟んでこの順に点滅する。その後、第１のＬＥＤ１１Ａ、第２のＬＥＤ１１Ｂ、及び第３のＬＥＤ１１Ｃの全てが、前述した周期ｔ３ｇで、時間差ｔ３ｈを挟んで同時に点滅する。このように、まるでルーレットが回っているかのような点滅形態を含みながら、一連のサイクルが、複数回繰り返される。
【００２７】
図８は、容器電飾ホルダーの作用を説明する模式図である。図８に示すように、容器電飾ホルダー１の使用にあたり、スイッチ１３をオンにし、選択された点滅パターンで３つのＬＥＤ１１を発光させる。これにより、飲食物として、本実施形態では、飲み物８１が入った飲食用コップ７０を容器電飾ホルダー１に挿着した電飾容器付き飲食物８０に、ＬＥＤ１１から放った光によるイルミネーション８２が、透過した飲み物８１や飲食用コップ７０に、拡散された様相に映し出される。
【００２８】
本実施形態に係る容器電飾ホルダー１の作用・効果について説明する。本実施形態の容器電飾ホルダー１は、発光体本体部１０を、飲食用コップ７０の底側外周部７１等を覆って保持する容器支持部２０に設けた容器電飾ホルダーにおいて、容器支持部２０は、その上下方向ＶＴに対し、断面が上側から下側にかけて窄むテーパをなす筒状で、透明な状態に形成された周壁部３０と、有底筒体として、周壁部３０と接続して形成された底部４０を有し、底部４０には、発光体本体部１０を内部空間５１に収容して配置する収容部５０が、透明な状態で、上側に向けて突設され、飲食用コップ７０の底側外周部７１等を、周壁部３０上側の開口３３から挿入して周壁部３０の内面で保持して挿着させた状態では、飲食用コップ７０の底側外周部７１等と収容部５０とが接触しないよう、周壁部３０のうち、底部４０から上端までの高さｈが、底部４０の径ｒに対応した距離になっていること、ＬＥＤ１１は、１以上具備しており、ＩＣチップ１４は、スイッチ１３を操作することにより、ＬＥＤ１１に対し、複数種の点滅パターンに基づいた発光を、制御可能に構成されていること、を特徴とする。
【００２９】
この態様によれば、飲食用コップ７０（または飲料用ボトル１７０）に挿着した容器電飾ホルダー１により、ＬＥＤ１１から発現する美麗な光輝色に基づいたイルミネーションをもたらすため、例えば、祭り、コンサート会場やイベント会場、娯楽施設等、多くの人が集う場所で、飲食物として、本実施形態のように、ジュースやビール等の飲み物のほか、例えば、かき氷やスナック菓子等の食べ物が入った電飾容器付き飲食物８０，１８０を手にした人は、鑑賞に値する演出を楽しむことができる。すなわち、容器電飾ホルダー１では、ＩＣチップ１４による複数種の点滅パターンの下で、ＬＥＤ１１を発光させ、透明な収容部５０を介して、その発光色をそのまま、飲食用コップ７０等側に、幅広い配光範囲で拡散させている。そのため、飲み物８１や飲食用コップ７０等に映る光の色調により、質感の高い演出と、表現豊かな演出を提供することが可能になり、このような演出は、特に、子供や若者等の間をはじめ、幅広い層の使用者の間で、付加価値が高いと認定され易くなり、使用者を和ませる効果を奏することができる。しかも、容器電飾ホルダー１は、挿着しようとする飲食用コップ７０や飲料用ボトル１７０に対し、簡単に着脱することができるため、複数種の飲食用コップ７０等を対象に自在に使い回すことができ、使用者の使い勝手は良い。
【００３０】
従って、本実施形態に係る容器電飾ホルダー１によれば、飲食用コップ７０や飲料用ボトル１７０に装着するにあたり、使い勝手が良く、かつ発光による電飾の演出に、バリエーションを備えることで、子供や若者等を主とする大勢の使用者の間で、幅広く楽しむことができる、という優れた効果を奏する。
【００３１】
また、本実施形態の容器電飾ホルダー１では、３つのＬＥＤ１１は、容器支持部２０の軸に沿う軸心ＡＸを中心に、放射状に散在して配置されているので、３つの光源から放つ３種の光が、異なる位置から拡散されて統合するため、ＬＥＤ１１の発光により飲食用コップ７０等側に映し出されたイルミネーションに、一体感を生み出すことができる。特に、本実施形態のように、ＬＥＤ１１の発光色が光源毎に異なっていると、グラデーションを含むイルミネーションが生成され、このようなイルミネーションは、まるでオーロラを観察するかのような臨場感に溢れた様相で、飲食用コップ７０等側の立体的な空間にディフォルメされて映し出され、ダイナミックな演出となる。
【００３２】
また、本実施形態の容器電飾ホルダー１では、底部４０は、周壁部３０の下端面３２より底上げされた位置に配置されているので、電飾容器付き飲食物８０，１８０を台上に置くにあたり、電飾容器付き飲食物８０等は、周壁部３０に形成された環状の下端面３２で、バランスを保った状態で支持され易くなるため、電飾容器付き飲食物８０等の転倒を抑制することができている。また、本実施形態のように、底部４０下側の中央に発光体本体部１０のスイッチ１３が設けられていても、電飾容器付き飲食物８０等の倒立時に、スイッチ１３が台に接触せず、台上の接触に起因したスイッチ１３の誤操作は、回避できている。
【００３３】
以上において、本考案を実施形態に即して説明したが、本考案は上記実施形態に限定されるものではなく、その要旨を逸脱しない範囲で適宜変更して適用できる。
（１）例えば、実施形態では、周壁部３０の上端面３１を平面とした容器電飾ホルダー１を挙げたが、容器発光装飾具は、例えば、図９に示す説明図のように、周壁部３０Ａ上側の端部３１Ａを、正面視による形状で波型とした容器電飾ホルダー１Ａ等でも良く、容器支持部の構成は、適宜変更可能である。
（２）また、実施形態では、ＬＥＤ１１の発光色を、青色、赤色、緑色の３色としたが、ＬＥＤに対し、発光色、数量、配置位置は、適宜変更可能である。また、ＬＥＤの点滅パターンについて、第１〜第３の点滅パターンを、図７の図示を含めて例示したが、ＬＥＤの点滅パターンは、何らかの規則に基づいて点滅していれば良く、実施形態に限定されるものではない。加えて、ＩＣチップ１４により、複数種の点滅パターンに基づいて、ＬＥＤ１１を発光させたが、電気制御部は、ＬＥＤによる可変配光、調光等の制御を行うものであっても良い。
【符号の説明】
【００３４】
１  容器電飾ホルダー（容器発光装飾具）
１０  発光体本体部
１１  ＬＥＤ
１２  電池（電源）
１３  スイッチ
１４  ＩＣチップ（電気制御部）
２０  容器支持部
３０  周壁部
３２  周壁部の下端面
３３  開口
４０  底部
５０  収容部
５１  内部空間
７０  飲食用コップ（飲食用容器）
７１  底側外周部
１７０  飲料用ボトル（飲食用容器）
ＶＴ  上下方向
ＡＸ  軸心
ｈ  周壁部の上端までの高さ
ｒ  底部の径
【図１】
0003216988.tif 000003
【図２】
0003216988.tif 000004
【図３】
0003216988.tif 000005
【図４】
0003216988.tif 000006
【図５】
0003216988.tif 000007
【図６】
0003216988.tif 000008
【図７】
0003216988.tif 000009
【図８】
0003216988.tif 000010
【図９】
0003216988.tif 000011